【手続補正書】
【提出日】平成19年5月8日(2007.5.8)
【手続補正１】
【補正対象書類名】明細書
【補正対象項目名】全文
【補正方法】変更
【補正の内容】
【発明の詳細な説明】
【発明の名称】安全防護装置
【技術分野】
【０００１】  本発明は、地震発生に伴う家屋倒壊から人を護るための安全防護装置に関する。
【背景技術】
【０００２】  日本においては地震が活動期に入り、大きな地震が頻発しているのが現状である。地震が発生すると、場合によっては家屋（マンションも含む）が倒壊し、そのままでは寝ている人の圧死を招く。
【発明が解決しようとする課題】
【０００３】  こうした対策として、ベッド周りを囲むような安全防護装置を設置すればよいが、これまでの装置は太いパイプで対処していたためどうしても重いものとなっていた。
上記に鑑み、本発明は、必要とされる強度が従来よりも軽量低コストで得られるようにした安全防護装置を提供することを目的とする。
【課題を解決するための手段】
【０００４】  上記課題を解決するため、請求項１記載の発明は、ベッドや和風敷布団などの就寝用品の周りに設けられて同就寝用品上に就寝する人を地震被害から防護するための安全防護装置であって、一対の支柱とその上端間をつなぐ天枠部とを有して門形をなし就寝用品の頭部側と脚側に対向状に立設配置された一対の第１フレームと、これら第１フレームの上端同士を天枠部を介して連結する天フレームと、補強フレームとでなり、補強フレームは、一対の支柱とその上端間をつなぐ天枠部とを有して門形をなしその天枠部は前記天フレームに斜めに交差するように結合されていることを特徴とする。
請求項２記載の発明は、請求項１記載のものにおいて、補強フレームは上からみてＶ字形をなす一対のものからなっている。
請求項３記載の発明は、ベッドや和風敷布団などの就寝用品の周りに設けられて同就寝用品上に就寝する人を地震被害から防護するための安全防護装置であって、Ｕ字形の曲げ部材である主フレームを就寝用品の前後に対向状に配して相互を連結し、かつ、同主フレームの下部を床下まで延ばして支持させてなる。
【発明の効果】
【０００５】  本発明によれば、ベッドや和風敷布団などの就寝用品の周りに設けられて同就寝用品上に就寝する人を地震被害から防護するための安全防護装置であって、一対の支柱とその上端間をつなぐ天枠部とを有して門形をなし就寝用品の頭部側と脚側に対向状に立設配置された一対の第１フレームと、これら第１フレームの上端同士を天枠部を介して連結する天フレームと、補強フレームとでなり、補強フレームは、一対の支柱とその上端間をつなぐ天枠部とを有して門形をなしその天枠部は前記天フレームに斜めに交差するように結合されていることを特徴とする装置であるので、必要とされる強度が従来よりも軽量低コストで得られるようにした安全防護装置を提供することができる。
【発明を実施するための最良の形態・実施例】
【０００６】  以下、本発明を各実施形態によって詳細に説明するが、各実施形態で説明する内容は、他の実施形態にも同様に適用がある。
図１ないし図６は、本発明に係る安全防護装置についての一実施形態を示す。
この安全防護装置は、ベッド（あるいは和風敷布団でもよい）である就寝用品１の周りを取り囲むようにして床（畳を含む）２上に設けられて同就寝用品１上に就寝する人（図示省略）を地震時の家屋倒壊から防護するためのものである。
【０００７】  同装置は、一対の第１フレーム３，３を備える。この第１フレーム３は、従来よりも細いサイズ（４０Ａ）の丸鉄パイプで上が幅狭状の台形をした一体門形に折り曲げ成形され、一対の支柱４，４とその上端間をつなぐ天枠部５とを有するとともに、各支柱４の下端には座板６をコーナー板として備えている。同第１フレーム３の支柱４の下部間には、ベッド下の下地板７を固定支持することのできる渡架材８が両端固定式に設けられるとともに、天枠部５には、図２に示すような一対の通孔９が左右２組上下に向けて開けられている。
【０００８】  これらの第１フレーム３，３は、図１のように、就寝用品１の頭部側と脚側に対向状をなすようにして垂直で互いに平行面を形成するように立設配置される。これら第１フレーム３，３の上端同士は天枠部５，５を介して天フレーム１１で相互連結されている。同天フレーム１１は、同じく４０Ａの細目の丸鉄パイプでストレートな端部盲状パイプとして形成され、左右一対用意されるとともに、その前後両端に図２のように直交して固着された半円筒状をしたジョイント１２を天枠部５上に嵌め当てる状態とされ、同ジョイント１２に開けたボルト孔１３が天枠部５の通孔９にマッチするようにしてボルト（止着具）１４を通し下からナット（止着具）１５を対応させることにより連結される。
尚、この第１フレーム３は、本数を３本以上にしたり、平面Ｘ字形にしてもよい。
また、同フレーム３は、四角なパイプにしたりあるいは板状のものも使用できる。板状のものには、溝形材や、波形板、折版形板なども含む。
さらに、図２に仮想線で示すように、同じく半円筒状をした下受ジョイント１６を合体させてより確実に抱き込み式に連結することもできるし、仮想線のような補強リブａを備えてもよい。
また、第１フレーム３は、その天枠部５を上向き凸状の湾曲形にしてもよい。
さらに、同フレーム３は、支柱４と天枠部５間の内コーナーに補強材を入れることもできる。
【０００９】  １８は補強フレームで、同補強フレーム１８は同じく細目の４０Ａサイズの丸鉄パイプを使用して折り曲げ成形されたものの一対からなり、それぞれは、上向きに窄まった台形で門形をなす。この補強フレーム１８は、一対の支柱１９，１９とその上端間をつなぐ天枠部２０とを有して門形をなしその天枠部２０は前記天フレーム１１，１１に斜めに交差するように結合されている。同補強フレーム１８は、その一方下端が前記座板６に固着される一方、他方下端は他の中間座板２１に固着されている。
【００１０】  これらの補強フレーム１８は、上からみてＶ字をなすように組み合わされて、就寝用品１の一側に対応する出入り側の支柱１９，１９が広く開いた形とされる一方、出入り側に対する奥側の支柱１９，１９は２本が合わさった形とされて中間座板２１に固着されている。補強フレーム１８の天枠部２０底側には、前記と同様に、図３に示すようなジョイント２３が斜め交差状に固着されており、これらのジョイント２３を図２と同様な方法で止着具２４で連結するようになっている。ジョイント２３には補強リブを備え付けることができる。
尚、図３に仮想線で示すように、ジョイント２３には、同ジョイント２３とは溝が逆の上向きとなるような天枠受部２５を付加してより確実な連結方法を採用してもよい。この天枠受部２５は、その左側にも備えてもよい。
【００１１】  これらでなる安全防護装置は、以上説明したフレーム体のみでなるものでもよい。また、図１に示すように、パンチングメタルや網状板などによる覆い板２７を付加してもよい。この場合、同覆い板２７は、両天フレーム１１，１１間と奥側上部に対応する面内に設けたり、出入り側である第１フレーム３と補強フレーム１８間に相当する上部のみあるいは全面に設けてもよい。
【００１２】  こうした安全防護装置は、図１に仮想線で示すように、前後の渡架材８上に下地板７を固定渡架することでその上にベッドである就寝用品１がセッテイングされる。図５に示すように、引出し２８付きのベッド架台２９上にベッドである就寝用品１を載置するようにしてもよい。この場合、図１のようなベッドヘッド３０を一方の渡架材８上にセットしてもよい。このベッドヘッド３０は補強メンバーになるようにする。
また、介護ベッドのように既設のものも対象になるが、その場合は、例えば、渡架材８を脱着自在にしておいて少なくともその一方を外した状態で待機する介護ベッド外側に沿うようにセットしてあとで外しておいた渡架材８を装着するようにしてもよい。
さらに、図４に仮想線で示すように、長い座板３２を長辺方向あるいは短辺方向、またはこれら双方に設けてより安定な受担ができるようにしてもよく、また、同座板３２の底面には緩衝材を介装することもある。一方、図５に仮想線で示すように、装置上には、上緩衝手段３３を備えてもよく、この場合、同緩衝手段３３は、引き出し付きのものにして収納したものが緩衝作用を発揮するようにしてもよい。
【００１３】  また、同装置には、出入り側を除く全体を囲むカーテン類を含む覆い（図示省略）を設けて個室化してその内部空間に照明設備や空調設備、ＴＶ、コンセント類などをオプション装備するようにしてもよい。出入り側の開放口には、図１に示すように、左右に開くカーテン３５を吊り具３６により吊設しておいて例えば、閉じた状態で補強フレーム１８に備えた引っ掛け具３７に掛けて室内を広くするようにしてもよい。
また、図５の右下欄に示すように、第１フレーム３の下端には移動用のローラー３９を装備して、スペーサ４０なしにして移動可能な状態にし、スペーサ４０を付けることでローラー３９を浮いた固定状態にするようにしてもよい。
【００１４】  図６に仮想線で示すように、防護装置の出入り側上部には、上下に開閉自在な前カバー４３を装備してもよい。この場合、天フレーム１１を支持軸として回転自在に前カバー４３を設け、いずれの高さでも止まるようにダンパー装置４４を付加して構成することができ、また、ばねの切り換えによって開閉位置を保つようなものでもよい。
【００１５】  また、同図左欄に示すように、スライドシャッター４６により開閉自在としてもよい。さらに、右欄（出入り側からみたもの）に示すように、その正面からみて観音開き式に覆い４７を設けてもよい。
【００１６】図７ないし図９は、本発明に係る安全防護装置についての他の実施形態を示す。
この安全防護装置は、ベッド（あるいは和敷布団、和掛布団でもよい）である就寝用品７０の周りを取り囲むようにして同就寝用品７０上に就寝する人（図示省略）を地震時の家屋倒壊や家具の衝当などから防護するためのものである。
特に、本実施形態は、畳（床材）７１や床下地板７２および床下支持構造（束や大引き、根太などは図示省略）の構成された和室の床に、設置する安全防護装置より少し大き目の矩形通穴７３を明けておき、この通穴７３を介して床下地盤７４側に同装置を完全固定するとともに和室内に同装置を立ち上がらせて家屋倒壊時などにおける床抜け現象を防止するとともに転倒をも防止するようにしたものである。
【００１７】７６は主フレーム（第１フレーム）で、Ｈ形鋼をそのフランジ部分が内外周にくるように丸形アーチに曲げ成形した剛強フレームでなる既製品を利用したもので、同既製品の脚部を一部短くするかあるいは脚部に他のＨ型鋼を溶接で追加するなどして図示した高さ２．３ｍ前後のフレームに仕上げてある。この主フレーム７６の一対を前記就寝用品７０の長手方向前後に対応させて対向状に立設配置したものである。
【００１８】  この主フレーム７６は、下端に座板７７を備え、この座板７７を、地盤７４内に予め埋め込み上面が全て同一な水平レベルとされて固定配備された合計４個のコンクリート製コーナー基礎７８．．．上にアンカー７９．．．によりそれぞれ固定するようにしたものである。これら一対の主フレーム７６の各脚部は、前記通穴７３の角コーナー近くを通るようになっている。
尚、座板７７と基礎７４間には、ゴムなどの緩衝材を介装してもよい。
【００１９】  ８１はコンクリート製中央基礎で、同中央基礎８１は、地盤７４における就寝用品７０の幅間中央に対応するライン上に前後一対埋めこみ固定されている。この基礎８１も前記コーナー基礎７８と上面が同レベルである。
【００２０】  ８２は底受け板で、この底受け板８２は、鋼板製で湾曲しているとともに長手方向は前後の主フレーム７６間より少し前後に長いものでなり、その左右上端には取付耳部８３が設けられて前記主フレーム７６の脚部に連結されるようになっている。この連結は、前記主フレーム７６が完全に立設固定されたあとで施工される。同底受け板８２は、その底面が前記中央基礎８１上に載り掛かるようにされて倒壊に伴う衝撃をこの底部で受け止めるようにされるとともに、その内部空間は、非常時の収納空間になっていて図１１に示すような底網ａ上に飲料水や非常食などの非常用品類８４．．．を収納できるようになっている。
尚、底受け板８２と中央基礎８１との間にはゴムなどの緩衝材を介装することもある。また一方、底受け板８２と中央基礎８１との間はアンカーで連結することもある。
さらに、底受け板８２は、湾曲状でなくＵ形のものにしてもよい。
【００２１】  ８５は受け板で、ベッドである就寝用品７０を受け止めるための台板であり、前記底受け板８２上に結合板８６を介して止着具８７により連結固定されている。同受け板８５は、非常用品類８４．．．を取り出すときのための大きな貫通口８８が形成されている。
【００２２】  一方、就寝用品７０は、ベッド台９０とベッド本体９１とよりなるが、ベッド台９０の底板９２には前記貫通口８８に通じる台穴９３が明けられるとともに通常は開閉板９４により閉じられ非常時にのみベッド本体９１を持ち上げれば開くことができるようになっている。
【００２３】  ９７は側カバー板で鋼板でなり、同板９７はＬ形で一対からなり、Ｌ形の長い垂直な面が主フレーム７６のアーチ部分に外側から当てられ水平な短い面はアーチ部分上端に当るようにして設けられる。そして、垂直な面部は図１１のように止着具９８．．．により主フレーム７６側に連結固定される。同側カバー板９７は、図示のようなパンチングメタルでもよい。この側カバー板９７を省略して図１１の止着具９８．．．に相当する個所に天井部分を構成する長いロッドを通してもよいが、そうすると例えば、左側から入ろうとするとこのロッドが頭に当る一方で頭に当らないように低い側のロッドをなくして高い側にロッドのみとすると就寝する人を護る範囲が狭くなって安全上好ましくなく、したがって、同実施形態のように側カバー板９７を付したものである。
【００２４】  これら側カバー板９７の一対は、図８のように前後に対向配置し、これらの間が天井板１００により止着具１０１で連結固定されている。さらに、天井板１００に衝撃が直接掛かるのを防止するため、最上部には矩形で厚みのある緩衝材１０２が取り付けられている。この緩衝材１０２は低反発型の発泡樹脂によるのが好ましい。
【００２５】  尚、図９に示すように、側カバー板９７の下側の部分は空いているが、この部分にも下部側カバー板を追加することがある。また、側カバー板９７は一体に下方まで延ばすこともある。さらに、主フレーム７６の内側にも化粧カバーを付することがある。
また、前記底受け板８２は必須なものではない。
さらに、図９に示すように、主フレーム７６の脚部において前後に対向する部分間には、畳７１上に張り出す突っ張り部材１０４を取り付けてもよい。この突っ張り部材１０４は、防護装置の左右への倒れを防止するために機能する。
また、図８に示すように、矩形通穴７３を塞ぐための閉止カバー１０５を装置周縁部に配してもよい。
さらに、天井板１００は、外枠内に強度網状材を張設したものであるが、鋼板や波板などでもよい。
【００２６】  図１０は床下貫通支持方式の安全防護装置の脚元に付設されるアウトリガー１０７についての実施形態である。同アウトリガー１０７は、主フレーム７６の脚周りに装着されてベッドの長手方向Ｌと幅方向Ｗの中間方向に長手方向が向くようにして設けられるもので、Ｌ字形の抱持部分１０８と取付部分１０９とを有するとともに、長いアングル形張り出し部分１１０とを一体に備えたものになっている。
【００２７】  同図左に示すように、これら第１部材ａと第２部材ｂの一対を用意し、抱持部分１０８を主フレーム７６の基部周りに合体させて止着具１１１により固定する。張り出し部分１１０は地盤に平行に大きく伸びるが相互を止着具１１１により連結することにより合体する。このアウトリガー１０７は、４個所において放射方向に延びることになるので、防護装置をいずれの方向にも転倒防止することになる。
尚、アウトリガー１０７の延びる方向については矢印Ｗの方向でもよい。
【００２８】  図１１および図１２は、他の実施形態を示す。同実施形態は、主フレーム１１５がＨ形鋼の曲げたものであるがＵ字姿勢となるように前記実施形態とは逆様とされている。これら主フレーム１１５は、矩形通穴１１６内に曲がった部分が入り込むようにして設けられ、それら前後間はアングルなどの下部連結部材１１７により連結されている。
【００２９】  同下部連結部材１１７上を介して受け板１１８を設け、その上に就寝用品１１９を設置してある。１つの主フレーム１１５の上端間には、横連結材１２０が渡されて連結具１２１により連結固定されている。こうした主フレーム１１５の前後のもの間は、Ｔ字鋼やアングル鋼などによる上部連結部材１２２により連結一体化されるとともに、これら左右一対の上部連結部材１２２上に緩衝材１２３を載せて抜けないように天井板１２４を介装して構成してある。
【００３０】  尚、同装置の転倒防止のため、主フレーム１１５の中途に止着具１２６によりアウトリガー１２７の左右一対を配備し、同アウトリガー１２７の外端を外側基礎１２８上に載せ固定する一方、内端を相互連結して構成したものである。１２９は主フレーム１１５の下部を受担する中央基礎である。
【００３１】  図１３は、Ｕ字形の曲げ鋼１３２を互いに逆様になる関係で連結一体化して一方の主フレーム１３３となしたものである。Ｕ字の正立姿勢側の曲げ鋼１３２は前後に離間して対向するが、その各上端に横連結材１３４が連結されるようにして天井部材１３５を装架するものである。
【００３２】  図１４は、他の実施形態を示す。間実施形態は、合計４本の主フレーム１３８．．．を建ててこれらの相互間下部を底連結部材１３９により連結するとともに、主フレーム１３８の上端より少し下側同士も上部連結部材１４０により連結してある。この限りでは一般的なものであるが、同実施形態では、主フレーム１３８をさらに上へ延びた長いものにし、これらの上端間を上端連結部材１４１により相互連結してあるとともに、上端連結部材１４１で形成される面内に第１天井材１４２である網状部材を張るとともに、それより低い上部連結部材１４０で形成される面内にも第２天井材１４３を設けたものである。
【００３３】  すなわち、通常は天井が１段でおしまいであるがこの実施形態の場合には、その上に予備的な今１段の天井構造部分（第２天井材１４３）が設けられているので、倒壊衝撃にも強いものである。上下天井間に物、例えば、発泡ウレタン樹脂や発泡スチロールなどによる緩衝ブロックを入れるのは自由である。第２天井材１４３上にもウレタンなどの緩衝材を覆設してもよい。また、この部分を、手前に引き出すことのできる引出を左右に複数並列配置した収納ケース構造としてもよい。
【００３４】  尚、主フレーム１３８に内カバー１４５と外カバー１４６を合体装備して主フレーム１３８を覆い隠すようにしてもよい。この場合、両カバー１４５，１４６間に空間ができるので、そこに非常時用品を収納可能にしてもよい。また、上下天井側面にも側カバー１４７を付してもよい。さらに、仮想線のように装置を床下支持方式にしてもよい。
また、前記カバー類は木目調など和風モデルにしてもよい。
【００３５】  図１５（中央および右欄は平面図、左欄は立面図）は他の実施形態を示す。同実施形態は、ベッド２５４を内装するベッドガード２５５に関連して同ガード２５５の一側脇に突き出す形で収納型家具２５６を連結装備したものである。前記ベッド２５４は所謂寝床の総称で和式寝床も含む（このことは他の実施形態でも同様にいえる）。家具２５６は、仮想線２５６′で示すようにベッド２５４の一端にも位置するような長いものにしてもよい。また、同図下側に示すように、ベッド２５４の他端側にも併設式で家具２５７を設けてもよく、この場合、同家具２５７は側方へ突き出す（この突き出し量は家具２５６と同じにしてもよい）ようにしてもよいし、さらに家具２５７は右欄図のａ、ｂのように分割式にしてもよい。前記家具２５６，２５６′、２５７は収納型でないこともある。さらに、突き出すものは、左欄に仮想線で示すように、逆Ｌ型アウトリガー２５８とすることもある。前記家具２５６とベッドガード２５５との連結部分には緩衝材を介装することができる。
尚、ベッドガード２５５・家具２５６の構造体は家屋の構造体（柱や間柱、縦あるいは横桟など）に結合することもある。
【００３６】  図１６（平面図）および図１７（立面図）は他の実施形態を示す。同実施形態は、２つ（あるいは３つなど複数）並列配置したベッドガード２６２，２６２を互いに連結したものを示す。これらのガード２６２は、ボルトナットなどの連結具で直接連結してもよいし、図示のように収納家具２６３を介して連結するようにしてもよい。同家具２６３は、図１６のようにガード２６２の頭部と尾部の双方に配置されているが、その一方のみでもよい。また、図１７の右欄に示すように、ベッドガード２６２，２６２の上部間に緩衝材２６４を渡してそれを連結材とすることもある。
尚、ベッドガード２６２，２６２・家具２６３の構造体は家屋の構造体（柱や間柱、縦あるいは横桟など）に結合することもある。
【００３７】  図１８（平面図）は他の実施形態を示す。同実施形態は、ベッドガード２６７，２６７が直交配置で、その直交するコーナーに布団や非常用品などの収納家具や避難シェルターなどの連結構造体２６８をセットすることができ、この場合、ベッドガード２６７，２６７・連結構造体２６８の構造体は家屋の構造体（柱や間柱、縦あるいは横桟など）に結合することもある。連結構造体２６８のみをあるいはベッドガード２６７のみを家屋の構造体側に連結することもある。
【００３８】  図１９（横断面図）および図２０（図１９のＶ−Ｖ線断面図）は、他の実施形態を示す。同実施形態は、図１８の実施形態の支柱の簡略化案を示し、２７１はシェルター用の支柱、２７２はベッドガード用の支柱で、これらのうち図示ｃで示すものを共用支柱としてある。尚、仮想線で示すように、支柱２７２はシェルター２７３側に近寄った位置Ｘに配置してもよい。この場合、ベッドガード２７４は寝ている人の上半身のみをガードするものになるが、重要な頭部側を防護できるので充分である一方において頭部側にはシェルター２７３があるので安全性は充分に確保される。
【００３９】  図２１は他の実施形態を示す。同実施形態は、ベッドガードＧについてのもので、主として、防護機能を向上させるとともに収納機能を積極的に配慮したものである。
【００４０】  ４本の支柱２７７．．．と、これらの下部間をつなぐ座フレーム２７８、および４本の支柱２７７．．．の上部間を上下２段に離れた位置においてつなぐ天フレーム２７９、上部フレーム２８０を備える。これら支柱２７７・座フレーム２７８・天フレーム２７９・上部フレーム２８０の相互は溶接あるいは止着具による連結手段を採用して構築する。止着具によるときは現場組立が可能である。
【００４１】  支柱２７７などは、同実施形態ではアングル型の金属材をその溝が内側に向くようにして使用されているが、金属製の角パイプや丸パイプでもよく、木質の角材や丸材などが使用される。座フレーム２７８の底面には、粘着ゲルマット材２８２が介装されて畳と座フレーム２７８の双方に密着してベッドガードＧの転倒を阻止するようになっている。このマット材２８２は内装されるベッド２８３の底面にも介装してもよい。同ベッド２８３は奥行きの短い収納である引き出し２８４．．．付きのものになっている。同引き出し２８４．．．の奥側半分スペースには、奥行きの長い別の収納用引き出し２８６が設けられて、例えば、前の引き出し２８４．．．を抜き出せば奥の引き出し２８５を手前に引き出すことができ、その引き出し２８５に季節の終わった春夏用の衣類を収め入れて元に戻し入れておき、手前の引き出し２８４にはこれからの秋冬用の衣類を入れて元に戻し入れておくようにする。春になれば春夏用の衣類を手前の引き出し２８４に移し変え、逆に秋冬用の衣類を奥の引き出し２８５に移し変えるようにする。ベッド２８３にこうした引き出し２８４，２８５が装備されないタイプでは、例えば、図示手前側の２本の支柱２７７，２７７の基部間に構成することができる。この場合、４本の支柱２７．．．の基部を利用して平面矩形のフレームを形成しその上面にベッド２８３を載せるための架台を一体的に構成するとともにこの架台の底部スペースを利用して引き出し２８４，２８５を出し入れ自在に構成する。その際、引き出し２８４，２８５は、その底面にローラーを付して例えば、畳上を転動して出し入れできるようにしてもよい。引き出し２８４，２８５のうち引き出し２８６は構成しない場合もある。
【００４２】  上部フレーム２８０と天フレーム２７９の間にも上位の収納である引き出し２８７．．．が構成されている。この引き出し２７８それ自体は木質、金属質、樹脂質など自由であるが、特に、上方からの衝撃を弾性変形で吸収する軟質樹脂や合成ゴムなどの弾性質のものが好適である。これら引き出し２７８．．．は、地震に伴う揺れで容易に飛び出さないストッパ構成をもつものが好ましい。例えば、引き出し前方に掛脱式ストッパを設けたり、マグネット脱着方式によるものがある。
同引き出し２７８．．．は奥行きの短めのものがよいが、図示のように敢えて長くしてその奥に内部緩衝材（発泡ウレタンやスチロール、ゴム、ＰＥＴボトル、水入りＰＥＴボトルなど）２８８．．．を内装しておけばそこで倒壊の衝撃を緩和するとともに、引き出し２７８．．．内には衣類などが収納されているのでこれらも緩衝機能を果たす。
【００４３】  天フレーム２７９の面内には、外縁に止着部を有しその面内に斜めメッシュを張った受け材２９０が固定して張られており、この受け材２９０の上を介して低反発型発泡ウレタンや発泡スチロールなどによる上緩衝材２９１が載せ付けられて倒壊負荷を緩衝して受け止めるようにしてある。上緩衝材２９１は、同じ緩衝でも倒壊力を受けて潰れ破壊してその際のエネルギーで緩衝作用を発揮するようなものでもよい。例えば、緩衝材をアルミ製としたり、水タンク式とするなどである。水タンク式とすれば火災発生時に自動的に対処するものになる。
【００４４】  尚、２９３は側付け型収納ボックスで、ベッドガードＧに一体的に構成するものとオプション的に別体合着装備するもののいずれかにすることができる。同ボックス２９３は、正面側の第１収納部２９４と奥横サイドの第２収納部２９５とを備える。２９６はその扉である。同ボックス２９３には他に開放型の第３収納部２９７が形成され、この収納部２９７内には小さく折り畳むことができコンパクトに収納することのできる脚立２９８が収納可能で前面に仮想線で示すように広げて使用する時、上引き出し２８７．．．内への収納・取出し・整理などを安定した姿勢で行うことができるようになっている。この脚立２９８は、上ハング２９９が伸縮・固定自在とされている。また、この収納ボックス２９３は図示よりも少し前方矢印Ｌ方向に突き出した形にしたり、ガイドレールで地震のゆれで突き出すようしてベッドガードＧの転倒を防止するように構成できる。
また、図２１の天フレーム２７９上には上緩衝材２９１が設けられているが、この上緩衝材２９１に直接衝撃負荷が加わると潰されて天フレーム２７９からベッドガードＧが壊れることも想定される。そこで、図２１の右上欄に取り出して示すように、天フレーム２７９の上端に添ってゴムなどの緩衝受材Ｒを付けておくとともに上緩衝材２９１にスリットＳを付けておいて天フレーム２７９に嵌め込むようにすれば緩衝効果が得られる。さらに、左上欄に示すように、上緩衝材２９１の角部に添って金属質・木質、樹脂質・硬質ゴムなどによる分散作用部材Ｋを備え付けておいてこの部材Ｋに衝撃が作用するとそれが平面方向に広がって下向きへの力が減衰されるように構成してもよい。この場合、仮想線のように、上緩衝材２９１を上下に分けてその間に分散作用板Ｍをサンドイッチにしてもよい。
【００４５】  図２２ないし図２５は他の実施形態を示す。同実施形態は、ベッド（和風寝床も含む）３７６用ガードＧの一例である。図２５（斜視図）は、ガードＧを構成するための共通枠
2007007406.tif 000001
仮想線のように内周溝３７８のある中空四角枠状の断面でなっている。内周溝３７８はなくともよい。ユニットｕは、中実状でもよい。また、アルミ・鉄などの金属製品でもよい。
【００４６】  このユニットｕは、その周位に各辺２個（１個あるいは３個以上でもよい）の（ボルト）通孔３７９．．．が形成されている。同ユニットｕは、仮想線で示すように、ゴムや樹脂などによる滑り防止用などの被覆３８０を巻き付け状に付してもよい。
尚、同図右下欄に示すように、内向きに溝３８０を向けた断面コの字形をしたユニットｕ′としてもよい。
【００４７】  これらのユニットｕ．．．の適数個を、図２４に示すように、縦５段・横３列に組み合わせてボルト・ナットである止着具３８３．．．の複数本により縦横に連結してある。これにより１つの枠組体Ｕが形成され、その高さは２ｍ、幅は１ｍ２０ｃｍとされる。３８４は緩衝座で、ゴムや粘着パッドなどにより構成して枠組体Ｕの底面に固着して畳やフロアーなどの上に定着するようにする。こうした枠組体Ｕを図２２および図２３のように左右一対離間（２ｍ以上）して対向させ、その間に共通メンバーである横架材３８６．．．を貫通口３７７．．．に端部を貫通させるようにして横架固定する。この実施形態では、同横架材３８６は、上側と下側がそれぞれ３本である。
【００４８】  前記横架材３８６は、樹脂一体成形による四角パイプでなり、同実施形態では、貫通口３７７内に嵌め込んで圧入や接着して固定されている。
横架材３８６の端部にも孔を開けておいて図２３に示すように抜け止めピン３８７で止め付けることもできる。図２３の仮想線のように、枠組体Ｕの内側にさらなるユニットｕ．．．を配して横架材３８６の端部を長く結合するようにしてもよい。この場合、枠組体Ｕと追加ユニットｕとの連結を図ってもよい。
【００４９】  前記ベッド３７６の左右両脇は、下段の横架材３８６のうち左右にあるものの外側面に支持バー３８８を付して支持することで対処する。下段の３本の横架材３８６．．．のなす全幅をベッド３７６の幅よりも広くして支持バー３７６を省略することも可能である。
【００５０】  尚、上段の横架材３８６．．．の上面には、緩衝材３８９を覆設して家屋倒壊に伴う上方からの衝撃負荷Ｐを緩和するようにしてもよい。この場合、衝撃負荷Ｐは、緩衝材３８９に対してやや局所的に作用することが想定されることから、緩衝材３８９上に今一枚の分散作用板（木質や樹脂、金属製など）３９０を載せ付けてＰを矢印のようにできるだけ緩衝材３８９の水平方向へと分散させて緩衝効果を上げるようにすることができる。このことは他のタイプの全てのベッドガードや前記特別ルームなどの上面に付される緩衝材に対して緩衝を有効に機能させるためのものとして適用され得る。緩衝材３８９と分散作用板（棒状・細長い板状などでもよい）３９０を上下に交互に（例えば、上段に分散作用板３９０、その下に緩衝材３８９、その下に分散作用板３９０、その下に緩衝材３８９のように）配列すればより効果的な緩衝作用が得られる。分散作用板は多孔板や波板、凹凸板でもよい。分散作用板と緩衝材とは連結する。
【００５１】  図２３の上欄図は、上フレームもユニットｕ．．．で枠組体Ｕを形成して縦向きの枠組体Ｕに対してブラケット３９１，３９２で連結することができる。このものはベッド３７６を載せるための下フレームにも適用することができる。
【００５２】  このようなユニットｕ．．．の数個を使って枠組体Ｕを形成してガードを組み立てる方法であるので、設置現場に分解した個別のユニットｕ．．．を搬入してその後組み立てをすることができて重いものを搬送・搬入・組立する労力がなくなる。また、前記ユニットｕや横架材３８６などを樹脂一体成形品とすれば非常に軽量でありながら所要の強度は発揮できるものとなる。これらのユニットｕ．．．および横架材３８６などは耐震キット（あるいはセット）としてホームセンターやＤＩＹ用品店、１００円ショップや１０００円ショップなどで販売すればまとめてあるいは数個ずつ購入して持ち帰り自宅で順次組み立てることができる。その場合、同販売店においては、簡易設計を行えるソフトを利用したパソコンに御客様あるいは店員が必要なデータを入力して求める作品の完成データや必要な購入品の購入数などをデータとしてその場で得られるようにしてもよい。ユニットｕのサイズ・形状は前記に限定されるものではなく大小いかにも変更できるとともに長方形や丸筒状などにも変更することがある。
尚、図２４の下部に仮想線で示すように、ユニットｕ相互を長ボルト３９３で横連結してもよい。この長ボルト３９３による連結方法は、長さは異なるが縦向きでの連結にも利用できる。この際、長ボルト３９３は、横架材３８６のユニットｕとの連結にも利用される。また、図２４の右上欄に示すように、斜めボルト３９４により連結することもできる。こうしたユニットｕによる構築方法は前記特別ルームにも適用できる。
【００５３】  図２６は、図１〜６に示す実施形態の変形態様である安全防護装置についての一実施形態を示す。
この安全防護装置は、図示したベッドあるいは和風敷布団である就寝用品５０１の周りを取り囲むようにして畳や洋風フロアーである床５０２上に設けられて同就寝用品５０１上に就寝する人（図示省略）を地震時の家屋倒壊から防護するためのものである。
【００５４】  同装置は、一対の第１フレーム５０３，５０３を備える。この第１フレーム５０３は、丸鉄パイプで図１〜６の実施形態のものが上向きに窄まった台形をした一体門形折り曲げ成形品であったのに対し、一対の支柱５０４，５０４が垂直でその上端間を水平な天枠部５０５でつないだコの字形の正門形とされ、各支柱５０４の下端には座板５０６をコーナー板として備えている。同第１フレーム５０３の支柱５０４の下部間には、ベッド下の下地板５０７を固定支持することのできる渡架材５０８が両端固定式に設けられるとともに、天枠部５０５には、一対の通孔が左右２組上下に向けて開けられている。渡架材５０８は、図示よりも更に低い位置、すなわち、座板５０６同士をつなぐパイプ材あるいは帯板材として設けることもでき、この場合、和寝具用の仕様になる。
【００５５】  これらの第１フレーム５０３，５０３は、図２６のように、就寝用品５０１の頭部側と脚側に対向状をなすようにして垂直で互いに平行面を形成するように立設配置される。これら第１フレーム５０３，５０３の上端同士は天枠部５０５，５０５を介して天フレーム５１０で相互連結されている。同天フレーム５１０は、同じく４０Ａの細目の丸鉄パイプでストレートな端部盲状パイプとして形成され、左右一対用意されるとともに、その前後両端に直交して固着された半円筒状をしたジョイント５１２を天枠部５０５上に嵌め当てる状態とされ、同ジョイント５１２に開けたボルト孔が天枠部５０５の通孔にマッチするようにしてボルト（止着具）５１４を通し下からナット（止着具）をねじ込むことにより連結される。
尚、この第１フレーム５０３は、本数を３本以上にしたり、平面Ｘ字形にしてもよい。また、同フレーム５０３は、四角なパイプにしたりあるいは板状のものも使用できる。板状のものには、溝形材や、波形板、折版形板なども含む。
さらに、同じく半円筒状をした下受ジョイントを合体させてより確実に抱き込み式に連結することもできる。
【００５６】  ５１８は補強フレームで、同補強フレーム５１８は同じく細目の４０Ａサイズの丸鉄パイプを使用して折り曲げ成形されたものの一対からなり、それぞれは、上向きに窄まった台形のものでなくコの字形の正門形をなす。この補強フレーム５１８は、一対の垂直な支柱５１９，５１９とその上端間をつなぐ天枠部５２０とを有しその天枠部５２０は前記天フレーム５１０，５１０に斜めに交差するように結合されている。同補強フレーム５１８は、その一方下端が前記座板６に固着される一方、他方下端は他の中間座板５２１に固着されている。
【００５７】  これらの補強フレーム５１８は、上からみてＶ字をなすように組み合わされて、就寝用品５０１の一側に対応する出入り側の支柱５１９，５１９が広く開いた形とされる一方、出入り側に対する奥側の支柱５１９，５１９は２本が合わさった形とされて中間座板５２１に固着されている。補強フレーム５１８の天枠部５２０底側には、前記と同様に、ジョイント５２３が斜め交差状に固着されており、これらのジョイント５２３を止着具５２４で連結するようになっている。ジョイント５２３には補強リブを備え付けることができる。
【００５８】  これらでなる安全防護装置は、以上説明したフレーム体のみでなるものでもよい。また、同図に示すように、パンチングメタルや網状板などによる覆い板５２７を付加してもよい。この場合、同覆い板５２７は、両天フレーム５１０，５１０間と奥側上部に対応する面内に設けたり、出入り側である第１フレーム５０３と補強フレーム５１８間に相当する上部のみあるいは全面に設けてもよい。
【００５９】  こうした安全防護装置は、前後の渡架材５０８上に下地板５０７を固定渡架することでその上にベッドである就寝用品５０１がセッテイングされる。
また、介護ベッドのように既設のものも対象になるが、その場合は、例えば、渡架材５０８を脱着自在にしておいて少なくともその一方を外した状態で待機する介護ベッド外側に沿うようにセットしてあとで外しておいた渡架材５０８を装着するようにしてもよい。
さらに、装置上には、上緩衝手段を別途備えてもよく、この場合、同緩衝手段は、引き出し付きのものにして収納したものが緩衝作用を発揮するようにしてもよい。
【００６０】  また、同装置には、出入り側を除く全体を囲むカーテン類を含む覆い（図示省略）を設けて個室化してその内部空間に照明設備や空調設備、ＴＶ、コンセント類などをオプション装備するようにしてもよい。出入り側の開放口には、左右に開くカーテンを吊り具により吊設しておいて例えば、閉じた状態で補強フレーム５１８に備えた引っ掛け具に掛けて室内を広くするようにしてもよい。
また、第１フレーム５０３の下端には移動用のローラーを装備して、スペーサなしにして移動可能な状態にし、スペーサを付けることでローラーを浮いた固定状態にするようにしてもよい。
さらに、前記補強フレーム５１８は、天枠部５２０がストレートであったが、仮想線のように、上からみて偏平Ｖ形あるいは湾曲状のものにしてもよい。
また、前記補強フレーム５１８の支柱５１９と第１フレーム５０３の支柱５０４とは離間しているが、その間につなぎのパイプや金属板などで連結してもよいし、両支柱５１９，５０４を近接して連結してもよい。さらに、支柱５１９を省略して天枠部５２０を支柱５０４あるいは天枠部５０５に連結するようにしてもよい。
また、前記特製畳は、図２７に５３７−Ｉで示すように、装置外にはみ出す程度の広いものにしてもよい。この場合、特製畳５３７と５３７−Ｉとを重ね合わすこともできる。
さらに、同特製畳は、装置を複数並列配置する場合には、図２７に５３７−ＩＩで示すように、５３７−Ｉの２倍広いものにしてもよいし、５３７−Ｉのものを並列配置してもよい。
【００６１】  図２７は安全防護装置についての他の実施形態を示す。この安心防護装置は、洋風ベッドにも適用できるがここでは和寝具を対象にして構成してある。勿論、図示のままあるいは内敷畳を外した状態で洋風ベッドを中に装備することもできる。
【００６２】  同実施形態は、合計４本の支柱（メインコラム）５３５．．．を建ててこれらの相互間下部を４辺全周にわたる底連結部材５３６により各連結してある。同支柱５３５は１００ｃｍ前後に短く低いものに設定してある。勿論、更に低く８０〜１００ｃｍとしたり、逆に１００から１２０ｃｍあるいはそれ以上とすることも自由である。この支柱５３５は、Ｌ形断面をした鉄鋼製のアングル材（あるいは角パイプ）を使用し、それらの溝が内側に向くように立設されている。
【００６３】  底連結部材５３６で囲まれた内側には特製畳５３７が嵌め込まれ、この特製畳５３７は和室に敷設された既設畳（図示省略）とは別の寸法（例えば、幅１２０ｃｍ・長さ２１０ｃｍ）で広目に作製されたもので、厚みも既設のものより厚目にしたり仕様を自由に変更できるものである。特製畳５３７は２枚など複数枚重合式にしてもよい。
尚、底連結部材５３６に複数列の通孔５３６ａ．．．を開けておいてネジ式の止着具５３８．．．を挿通固定するようにすれば上方からの衝撃がより全面で緩衝されるようになる。
また、装置の設置対象は畳上以外に板状フロアーその他コンクリート基盤の上に設置してもよい。
【００６４】  各支柱５３５の内側の溝内下部には、１／４円板形をした押さえ板５３９が固着されており、この押さえ板５３９が支柱５３５からの負荷があると特製畳５３７に伝えて負荷が緩衝作用をもって受け止められるようになっている。尚、押さえ板５３９と特製畳５３７とは止着しておいてもよい。また、押さえ板５３９と特製畳５３７間にはゴムなどの弾性緩衝材を介装しておくとより緩衝作用が得られるし、特製畳５３７などの底面には、緩衝材を介装しておくこともできる。
【００６５】  支柱５３５の上端は、同図右下欄に示すように、突片５３５ａが残されるとともに切欠５３５ｂが形成されている。支柱５３５の幅方向に対応する間には、アングル状をなす上部端部連結材５４１が前記突片５３５ａへの溶接あるいは止め付け、嵌め込みなどにより連結固定されている。また、前後の支柱５３５間にはアングル材や図示の四角パイプなどによる上部側部連結材５４２が切欠５３５ｂの下側に端部がくるようにして溶接あるいは止め付けなどにより連結固定されている。尚、上部端部連結材５４１と上部側面連結材５４２の突合せ端部は同じ高さになるように組み合わされ、その上を介して左右複数個の収納ケース５４３が押し引き自在に収められている。このケース５４３の高さは、簡易ステップ５４４なしでも中を整理整頓可能に臨める、例えば、１３０ｃｍとすることができる。簡易ステップ５４４を装置の脇に配しておいて収納等が自在にできるようにしてもよい。尚、収納ケース５４３は、同図左下欄に示すように、発泡スチロール製のものにしてもよい。この場合、上方からの衝撃をこのケース５４３自体が緩衝してくれる。同ケース５４３は、軟質ウレタンやゴム質のものでもよい。
【００６６】  そして、前記上部端部連結材５４１のそれぞれには、Ｌ形に折れ曲がった受け材５４５が取り付けられている。前後の受け材５４５上を介して緩衝ユニット５４７が載置されている。このユニット５４７は、上板５４８・緩衝主材（発泡ウレタン樹脂やスポンジ、ゴムなどの弾性吸収材）５４９・２枚の発泡スチロール板５５０・下板５５１の重合したものからなり、これらは互いに接着されてなる。このユニット５４７は、受け材５４５上に単純に載置されていたり接着あるいは粘着されていたりあるいは止め付けられる。上板５４８は、倒壊してくるものの衝撃を平面方向へ分散させて緩衝主材５４９の広い面積に伝えるためのもので、金属板に限らず合板などの木質材、樹脂板などでもよく、下板５５１はケース５４３の上蓋を兼ねるもので、また、発泡スチロール板５５０は１枚にしてもよく省略してもよい。
【００６７】  図２８および図２９の実施形態は、主に木製の安心クローゼットに関し、内部に洋風ベッドを構成したり敷布団直敷の和寝具セットを内底面に敷いて、地震対策防護用として使用してもよい。洋風ベッドを構成する場合、別途構成されたベッドを内部に単にセットするものと、図示する構造体に一体式にベッドベースを構成するものの両者を含む。
【００６８】  図示する実施形態において、６７０はＬ形のコーナー支柱で木製のものであるが金属製アングル材であってもよい。同支柱６７０はその溝を全て内側に向けて四隅に配備されている。これらの支柱６７０．．．のうち手前と奥側のものの間には、上下に複数段をなす横棚板６７１．．．で止着具６７２により相互に連結されるとともに、最も上段の横棚板６７１の左右のものの間には、端天材６７３の一対と中天材６７４．．．の複数本が止着具６７２により横架連結されている。左右の横棚板６７１は共に同じ高さをなし、それらの奥側間には、各横棚板６７１に端部が交差状に乗り掛かる状態で奥棚板６７５．．．が横架されてボルトナットやコーチスクリュウ、ビスなどの止着具６７６．．．により両者が連結固定されている。なお、横棚板６７１および奥棚板６７５は、図２８に取り出して示すように端部が段付状に形成されてコーナー支柱６７０の形に添うようにして嵌り合う関係になっている。
【００６９】  ６７７は回転サークルで、竿型のものでもよい。また、６７８は上部の緩衝材で、っ区部的負荷を水平面方向に拡げて伝達させる拡散板６７９と低反発ウレタンや発泡スチロールなどによる吸収板６８０とを少なくとも備える。これらの緩衝材６７８は適宜固定される。尚、奥棚板６７５の端部は、コーナー支柱６７０外からねじ込まれる止着具（図示省略）により固定されるようにしてもよく、また、横棚板６７１も同様に支柱６７０と連結固定してもよい。
尚、同安心クローゼットは、図２８の平面から見て正方形に形成してもよい。
また、前記実施形態では１本式のコーナー支柱６７０であったが、図２９の右上欄に示すように、横棚板６７１と奥棚板６７５の交差した構造の上下に短コラム６８１．．．を挟むように固定しその構造を上下複数段に構成することで耐震構造を構成してもよい。この場合、破線で示す連結軸６８２で全てを共締めするようにすれば構造的に簡易化する。
付加的な提案例として、ヘルメットあるいは野球帽など本人が通学に被るキャップの全周あるいは間隔を置いて離間した位置に透視窓口を設けるとともに、同窓口を通じて外部の状況を監視し遠距離の自宅や学校などの管理部に映像を送る映写転送システムをキャップ内に装備し、管理部では転送されてくる映像を一定時間録画するシステムを設置して、誘拐などの事件の証拠映像として確保できるようにする案をここに提案する。キャップからの映像は、相手が背の高い大人であることが一般的であるので、上下広い範囲を映すことができるものとする。尚、本人が映写を要求しない特定のときはＯＦＦにできる機能もあわせもつ。
【図面の簡単な説明】
【００７０】
【図１】本発明の一実施形態を示す安全防護装置の斜視図。
【図２】図１の第１フレームと天フレームとの結合部分を示す分解斜視図。
【図３】天フレームと補強フレームの結合部分を示す拡大平面図。
【図４】図１の防護装置の平面図。
【図５】図４の正面図。
【図６】図４の右側面図。
【図７】他の実施形態を示す半断面平面図。
【図８】図７の側面図。
【図９】図７の正面図。
【図１０】アウトリガーの一例を示す斜視図。
【図１１】他の実施形態を示す側面図。
【図１２】図１１の正面図。
【図１３】他の実施形態を示す斜視分解図。
【図１４】他の実施形態を示す斜視図。
【図１５】他の実施形態を示す収納家具付きベッドガードの平面図。
【図１６】他の実施形態を示す収納家具付きベッドガードの平面図。
【図１７】図１６の正面図。
【図１８】シェルター付き直交配置式ベッドガードの平面図。
【図１９】シェルター付き直交配置式ベッドガードの他の実施形態を示す平面図。
【図２０】図１９のＶ−Ｖ線断面図。
【図２１】他のベッドガードの実施形態を示す斜視図。
【図２２】他の実施形態を示す平面図。
【図２３】図２２の正面図。
【図２４】図２３の右側面図。
【図２５】ユニットを示す斜視図。
【図２６】他の実施形態を示す斜視図。
【図２７】他の実施形態を示す斜視図。
【図２８】他の実施形態を示す平面図。
【図２９】図２８の正面図。
【符号の説明】
【００７１】１…就寝用品  ３…第一フレーム  １１…天フレーム  １８…補強フレーム。
【手続補正２】
【補正対象書類名】図面
【補正対象項目名】図１
【補正方法】変更
【補正の内容】
【図１】
2007007406.tif 000002
【手続補正３】
【補正対象書類名】図面
【補正対象項目名】図２
【補正方法】変更
【補正の内容】
【図２】
2007007406.tif 000003
【手続補正４】
【補正対象書類名】図面
【補正対象項目名】図３
【補正方法】変更
【補正の内容】
【図３】
2007007406.tif 000004
【手続補正５】
【補正対象書類名】図面
【補正対象項目名】図４
【補正方法】変更
【補正の内容】
【図４】
2007007406.tif 000005
【手続補正６】
【補正対象書類名】図面
【補正対象項目名】図５
【補正方法】変更
【補正の内容】
【図５】
2007007406.tif 000006
【手続補正７】
【補正対象書類名】図面
【補正対象項目名】図６
【補正方法】変更
【補正の内容】
【図６】
2007007406.tif 000007
【手続補正８】
【補正対象書類名】図面
【補正対象項目名】図７
【補正方法】変更
【補正の内容】
【図７】
2007007406.tif 000008
【手続補正９】
【補正対象書類名】図面
【補正対象項目名】図８
【補正方法】変更
【補正の内容】
【図８】
2007007406.tif 000009
【手続補正１０】
【補正対象書類名】図面
【補正対象項目名】図９
【補正方法】変更
【補正の内容】
【図９】
2007007406.tif 000010
【手続補正１１】
【補正対象書類名】図面
【補正対象項目名】図１０
【補正方法】変更
【補正の内容】
【図１０】
2007007406.tif 000011
【手続補正１２】
【補正対象書類名】図面
【補正対象項目名】図１１
【補正方法】変更
【補正の内容】
【図１１】
2007007406.tif 000012
【手続補正１３】
【補正対象書類名】図面
【補正対象項目名】図１２
【補正方法】変更
【補正の内容】
【図１２】
2007007406.tif 000013
【手続補正１４】
【補正対象書類名】図面
【補正対象項目名】図１３
【補正方法】変更
【補正の内容】
【図１３】
2007007406.tif 000014
【手続補正１５】
【補正対象書類名】図面
【補正対象項目名】図１４
【補正方法】変更
【補正の内容】
【図１４】
2007007406.tif 000015
【手続補正１６】
【補正対象書類名】図面
【補正対象項目名】図１５
【補正方法】変更
【補正の内容】
【図１５】
2007007406.tif 000016
【手続補正１７】
【補正対象書類名】図面
【補正対象項目名】図１６
【補正方法】変更
【補正の内容】
【図１６】
2007007406.tif 000017
【手続補正１８】
【補正対象書類名】図面
【補正対象項目名】図１７
【補正方法】変更
【補正の内容】
【図１７】
2007007406.tif 000018
【手続補正１９】
【補正対象書類名】図面
【補正対象項目名】図１８
【補正方法】変更
【補正の内容】
【図１８】
2007007406.tif 000019
【手続補正２０】
【補正対象書類名】図面
【補正対象項目名】図１９
【補正方法】変更
【補正の内容】
【図１９】
2007007406.tif 000020
【手続補正２１】
【補正対象書類名】図面
【補正対象項目名】図２０
【補正方法】変更
【補正の内容】
【図２０】
2007007406.tif 000021
【手続補正２２】
【補正対象書類名】図面
【補正対象項目名】図２１
【補正方法】変更
【補正の内容】
【図２１】
2007007406.tif 000022
【手続補正２３】
【補正対象書類名】図面
【補正対象項目名】図２２
【補正方法】変更
【補正の内容】
【図２２】
2007007406.tif 000023
【手続補正２４】
【補正対象書類名】図面
【補正対象項目名】図２３
【補正方法】変更
【補正の内容】
【図２３】
2007007406.tif 000024
【手続補正２５】
【補正対象書類名】図面
【補正対象項目名】図２４
【補正方法】変更
【補正の内容】
【図２４】
2007007406.tif 000025
【手続補正２６】
【補正対象書類名】図面
【補正対象項目名】図２５
【補正方法】変更
【補正の内容】
【図２５】
2007007406.tif 000026
【手続補正２７】
【補正対象書類名】図面
【補正対象項目名】図２６
【補正方法】変更
【補正の内容】
【図２６】
2007007406.tif 000027
【手続補正２８】
【補正対象書類名】図面
【補正対象項目名】図２７
【補正方法】変更
【補正の内容】
【図２７】
2007007406.tif 000028
【手続補正２９】
【補正対象書類名】図面
【補正対象項目名】図２８
【補正方法】変更
【補正の内容】
【図２８】
2007007406.tif 000029
【手続補正３０】
【補正対象書類名】図面
【補正対象項目名】図２９
【補正方法】変更
【補正の内容】
【図２９】
2007007406.tif 000030
【手続補正３１】
【補正対象書類名】図面
【補正対象項目名】図３０
【補正方法】削除
【補正の内容】
【手続補正３２】
【補正対象書類名】図面
【補正対象項目名】図３１
【補正方法】削除
【補正の内容】
【手続補正３３】
【補正対象書類名】図面
【補正対象項目名】図３２
【補正方法】削除
【補正の内容】
【手続補正３４】
【補正対象書類名】図面
【補正対象項目名】図３３
【補正方法】削除
【補正の内容】
【手続補正３５】
【補正対象書類名】図面
【補正対象項目名】図３４
【補正方法】削除
【補正の内容】
【手続補正３６】
【補正対象書類名】図面
【補正対象項目名】図３５
【補正方法】削除
【補正の内容】
【手続補正３７】
【補正対象書類名】図面
【補正対象項目名】図３６
【補正方法】削除
【補正の内容】
【手続補正３８】
【補正対象書類名】図面
【補正対象項目名】図３７
【補正方法】削除
【補正の内容】
【手続補正３９】
【補正対象書類名】図面
【補正対象項目名】図３８
【補正方法】削除
【補正の内容】
【手続補正４０】
【補正対象書類名】図面
【補正対象項目名】図３９
【補正方法】削除
【補正の内容】
【手続補正４１】
【補正対象書類名】図面
【補正対象項目名】図４０
【補正方法】削除
【補正の内容】
【手続補正４２】
【補正対象書類名】図面
【補正対象項目名】図４１
【補正方法】削除
【補正の内容】
【手続補正４３】
【補正対象書類名】図面
【補正対象項目名】図４２
【補正方法】削除
【補正の内容】
【手続補正４４】
【補正対象書類名】図面
【補正対象項目名】図４３
【補正方法】削除
【補正の内容】
【手続補正４５】
【補正対象書類名】図面
【補正対象項目名】図４４
【補正方法】削除
【補正の内容】
【手続補正４６】
【補正対象書類名】図面
【補正対象項目名】図４５
【補正方法】削除
【補正の内容】
【手続補正４７】
【補正対象書類名】図面
【補正対象項目名】図４６
【補正方法】削除
【補正の内容】
【手続補正４８】
【補正対象書類名】図面
【補正対象項目名】図４７
【補正方法】削除
【補正の内容】
【手続補正４９】
【補正対象書類名】図面
【補正対象項目名】図４８
【補正方法】削除
【補正の内容】
【手続補正５０】
【補正対象書類名】図面
【補正対象項目名】図４９
【補正方法】削除
【補正の内容】
【手続補正５１】
【補正対象書類名】図面
【補正対象項目名】図５０
【補正方法】削除
【補正の内容】
【手続補正５２】
【補正対象書類名】図面
【補正対象項目名】図５１
【補正方法】削除
【補正の内容】
【手続補正５３】
【補正対象書類名】図面
【補正対象項目名】図５２
【補正方法】削除
【補正の内容】
【手続補正５４】
【補正対象書類名】図面
【補正対象項目名】図５３
【補正方法】削除
【補正の内容】
【手続補正５５】
【補正対象書類名】図面
【補正対象項目名】図５４
【補正方法】削除
【補正の内容】
【手続補正５６】
【補正対象書類名】図面
【補正対象項目名】図５５
【補正方法】削除
【補正の内容】